(57)【特許請求の範囲】
【請求項１】
リール本体の上面に設けられた表示部と、前記リール本体の内部に配置され外部電源から供給された電力によって動作するスプール回転用のモータとを制御する電動リールの制御装置であって、
第１無線受信部を有し、前記リール本体に設けられ、前記表示部の表示制御及び前記モータの駆動制御を行う制御部と、
少なくとも１つのスイッチを有し、前記スイッチの操作によって前記モータの駆動制御の信号を前記第１無線受信部に送信する第１無線送信部を内蔵し、前記リール本体に回転可能に装着されるハンドル部と、
を備えた電動リールの制御装置。
【請求項２】
前記ハンドル部は、前記モータのオン・オフに関するオン・オフスイッチ及び前記モータの加減速に関する加減速スイッチを有している、請求項１に記載の電動リールの制御装置。
【請求項３】
前記リール本体と前記外部電源との間に装着される電源ケーブルの途中に配置され前記モータを駆動するためのモータ駆動部をさらに備えた、請求項１又は２に記載の電動リールの制御装置。
【請求項４】
前記モータ駆動部は、前記外部電源からの電圧を昇圧させる昇圧回路を有している、請求項３に記載の電動リールの制御装置。
【請求項５】
前記制御部は前記モータ駆動部に信号を送信するための第２送信部を有し、
前記モータ駆動部は前記第２送信部から送信された信号を受信するための第２受信部を有している、
請求項３又は４に記載の電動リールの制御装置。
【請求項６】
前記第２送信部から前記第２受信部への送信は無線によって行われる、請求項５に記載の電動リールの制御装置。
【請求項７】
前記電源ケーブルは前記リール本体に着脱自在に装着され、
前記リール本体の内部に設けられ前記制御部に電力を供給する内部電源をさらに備える、
請求項３から６のいずれかに記載の電動リールの制御装置。
【請求項８】
前記内部電源は充電機能を備えている、請求項７に記載の電動リールの制御装置。
【請求項９】
前記内部電源は、前記電源ケーブルが前記リール本体から離脱されているときにのみ前記制御部に電力を供給する、請求項７又は８に記載の電動リールの制御装置。
【発明の詳細な説明】
【０００１】
【発明の属する技術分野】
本発明は、電動リールの制御装置、特に、リール本体の上面に設けられた表示部と、リール本体の内部に配置され外部電源から供給された電力によって動作するスプール回転用のモータとを制御する電動リールの制御装置に関する。
【０００２】
【従来の技術】
巻き上げ時のスプールの回転をモータで行うことのできる電動リールは、たとえば、１００ｍ以上の水深を回遊する魚を船の上から釣るときによく使用される。この種の電動リールは、リール本体、リール本体の内部に配置されたスプール、スプールを回転させる手動のハンドル、スプールを駆動するモータ、スプールに釣り糸を均一に巻き付けるためのレベルワインド機構等を備えている。モータは、リールの小型化を図るため、たとえばスプール内に収納される。リール本体は、間にスプールが配置された１対の側板と、各側板の外側を覆う１対の側カバーと、側板間の前部を覆う前カバーとから成り、一方の側カバーにハンドルが回転自在に装着されている。レベルワインド機構は、スプールの前方でリール本体の側板間に装着されている。
【０００３】
リール本体の上面には、カウンタケースが装着されている。カウンタケースの内部には、表示部としての液晶ディスプレィやＣＰＵを含む制御部が収納されている。制御部は、表示制御やモータ制御等の各種の制御を行う。一方、モータをたとえばＰＷＭ駆動するモータ駆動部は、ＦＥＴ等の駆動素子を有しており、ハンドル取付側と逆側の側板と側カバーとの間の空間に配置された防水構造のケースに収納されている。制御部とモータ駆動部とは配線で接続されており、各種センサやアクチュエータも配線で制御部やモータ駆動部と接続されている。
【０００４】
また、リール本体上面のカウンターケースの近傍には複数の操作キーが配置されている。
【０００５】
【発明が解決しようとする課題】
電動リールでは、エサの付けかえをするときやアタリがあったときに電動巻き上げを行う。たとえば、シャクリなどのさそい動作中にアタリがあれば、操作キーによって電動巻き上げを開始する。このとき、電動巻き上げの高速に加えてハンドルを手動で回せば、いっそう巻き上げが早くなる。
【０００６】
しかし、左手で竿を持ち右手でハンドルを回していると、リール本体上面の操作キーを操作することが困難であり、巻き上げ速度を変更したいときや電動巻き上げをオフしたい場合に不便である。また、ハンドルを握ったままモータ制御に関する操作ができれば便利である。
そこで、制御部からハンドルまで配線を伸ばしてハンドルにも操作キーを配することが考えられるが、制御部が収容されているリール本体に対してハンドルは相対回転可能なものであるため、ハンドルまで配線を伸ばすことは難しい。また、防水構造の観点からもハンドルまで配線を伸ばすことは困難である。
【０００７】
本発明の課題は、電動リールの操作性及び使い勝手を向上させるような制御装置を提供することにある。
【０００８】
【課題を解決するための手段】
発明１に係る電動リールの制御装置は、リール本体の上面に設けられた表示部と、リール本体の内部に配置され外部電源から供給された電力によって動作するスプール回転用のモータとを制御する装置であって、制御部と、ハンドル部とを備えている。制御部は、リール本体に設けられ、表示部の表示制御及びモータの駆動制御を行う。また、制御部は第１無線受信部を有している。ハンドル部は、少なくとも１つのスイッチを有しており、第１無線送信部を内蔵している。第１無線送信部は、スイッチの操作によって、モータの駆動制御の信号を制御部の第１無線受信部に送信する。このハンドル部は、リール本体に回転可能に装着されている。
【０００９】
この制御装置では、ハンドル部のスイッチを操作することで、無線により制御部に指令を与え、モータの制御を行うことができる。これにより、手動で巻き上げを行っているときなどハンドル部を握っている状態においても、ハンドル部を握っているその手によってモータ制御の操作が可能である。
ここでは、無線によってハンドル部から制御部への指令伝達（信号伝達）を行っているため、両者の間を有線接続する必要がなく、電動リールの構造が簡易である。そして、ハンドル部を握ったままでリール本体に設けられた制御部を動かすことができるため、電動リールが釣り人にとって使い勝手が良く操作性に優れたものとなる。
【００１０】
なお、制御部により制御されてモータが駆動すると、モータがスプールを糸巻き上げ方向に回転させる。スプールが回転すると、制御部が表示部を制御してたとえば水深表示が徐々に変化する。
発明２に係る電動リールの制御装置は、発明１に記載の装置において、ハンドル部は、モータのオン・オフに関するオン・オフスイッチ及びモータの加減速に関する加減速スイッチを有している。
【００１１】
この制御装置では、オン・オフスイッチを操作することにより、ハンドル部を握ったままその手でモータの駆動を開始及び停止させることができる。また、加減速スイッチを操作することにより、ハンドル部を握ったままその手で巻き取り速度を変えることができる。
発明３に係る電動リールの制御装置は、発明１又は２に記載の装置において、モータ駆動部をさらに備えている。モータ駆動部は、モータを駆動させるものであって、リール本体と外部電源との間に装着される電源ケーブルの途中に配置されている。なお、モータ駆動部の位置は、電源ケーブルの途中であればどこでもよく、たとえば、リール本体との接続部や外部電源との接続部にあってもよい。
【００１２】
ここでは、モータ駆動部が電源ケーブルの途中に設けられているので、リール本体にモータ駆動部を設ける必要がなくなり、リール本体を小型化することができる。これにより、電動リールが釣り人にとって小型で使い勝手が良いものとなる。
発明４に係る電動リールの制御装置は、発明３に記載の装置において、モータ駆動部は昇圧回路を有している。昇圧回路は、外部電源からの電圧を昇圧させる回路である。
【００１３】
ここでは、モータを高速で回転させるための昇圧回路を、リール本体ではなく、電源ケーブルの途中に設けられているモータ駆動部に配しているので、リール本体を小型化することができる。これにより、電動リールが釣り人にとってさらに小型で使い勝手が良いものとなる。
発明５に係る電動リールの制御装置は、発明３又は４に記載の装置において、制御部は第２送信部を有しており、モータ駆動部は第２受信部を有している。第２送信部は、モータ駆動部に信号を送信するため送信部である。第２受信部は、第２送信部から送信された信号を受信するため受信部である。
【００１４】
ここでは、制御部から送信された制御信号によりモータ駆動部を制御することができる。
発明６に係る電動リールの制御装置は、発明５に記載の装置において、第２送信部から第２受信部への送信は無線によって行われる。
ここでは、通信線を用いることなく簡単に制御部からモータ駆動部に制御信号を送信でき、モータ駆動部とリール本体との間のケーブルの本数を少なくすることができる。
【００１５】
発明７に係る電動リールの制御装置は、発明３から６のいずれかに記載の装置において、内部電源をさらに備えている。内部電源は、リール本体の内部に設けられており、制御部に電力を供給する。また、電源ケーブルはリール本体に着脱自在に装着される。
ここでは、電源ケーブルを外した状態でも内部電源によって制御部が動作するので、表示部の表示制御等は行うことができ、電動リールを表示部付の手巻リールとして使用することができる。これにより、電動リールが釣り人にとって使い勝手の良いものとなる。
【００１６】
発明８に係る電動リールの制御装置は、発明７に記載の装置において、内部電源は充電機能を備えている。
ここでは、内部電源が充電機能を備えているため、電源ケーブルが着けられているときに蓄えられた電力によって、電源ケーブルを外した状態でも表示部の表示制御等は行うことができる。
【００１７】
発明９に記載の電動リールの制御装置は、発明７又は８に記載の装置において、内部電源は、電源ケーブルがリール本体から離脱されているときにのみ制御部に電力を供給する。
ここでは、電源ケーブルがリール本体に着けられているときには外部電源の電力によって制御部が動作するため、内部電源の電力消費を抑えることができる。これにより、電源ケーブルをリール本体から離脱した後の表示部の表示制御等を長時間持続させることができる。
【００１８】
【発明の実施の形態】
〔全体構成〕
図１において、本発明の一実施形態を採用した電動リールは、糸繰り出し長さにより水深を表示するカウンターを有するリールである。
電動リールは、釣り竿５に装着されるリール本体１と、リール本体１の側方に配置され握り部２ａを有するスプール回転用のハンドル２と、ハンドル２のリール本体１側に配置されたドラグ調整用のスタードラグ３とを主に備えている。リール本体１は、間隔を隔てて配置された側板６ａ，６ｂと、側板６ａ，６ｂの外方をそれぞれ覆う側カバー７ａ，７ｂと、側板６ａ，６ｂ間の前部を覆う前カバー８とを有している。側板６ａ，６ｂは複数の連結部材９により連結されている。側カバー７ａ，７ｂは、それぞれ釣り竿の長手方向（前後方向）及び上下方向に沿って凸状に滑らかに湾曲する曲面で構成されている。ハンドル２と逆側の側カバー７ａの上下方向の中央部には、後方にいくに連れて徐々に外方に膨らんだ膨出部７ｃが形成されており，この膨出部７ｃの後端面７ｄは、斜め外下方を向いている。この後端面７ｄには電源ケーブル１１が着脱自在に接続される。また、ハンドル２側の側カバー７ｂにはクラッチ操作レバー１９が揺動自在に設けられている。
【００１９】
リール本体１の内部には、ハンドル２に連結されたスプール１０が回転自在に支持されている。スプール１０の内部には、スプール１０を糸巻き上げ方向に回転駆動する直流駆動のモータ１２が配置されている。モータ１２は、内部回路にポリマーＰＴＣ１２ａを内蔵している。ポリマーＰＴＣ１２ａは、温度が上昇するとその抵抗が増大する特性を有しており、モータ１２や回路の発熱時には供給電流を自動的にカットしてモータ１２を保護する回路を簡単かつ安価に構成することができる。また、リール本体１の内部には、ハンドル２の回転をスプール１０に伝達する回転伝達機構やハンドル２の回転を増速するとともにモータ１２の回転を減速する遊星歯車機構やスプール１０に釣り糸を均一に巻き取るためのレベルワインド機構等が設けられている。
【００２０】
リール本体１の上部には、カウンター４が着脱自在に固定されている。カウンター４は、図１〜図３に示すように、内部に空洞１３を有するカウンターケース１４と、カウンターケース１４内の空洞１３に配置された液晶ディスプレイからなる表示部１６と、カウンターケース１４の上面１５において表示部１６の周囲に配置された複数のボタンからなる操作キー部１７と、表示部１６やモータ１２を制御するための制御部１８とを有している。上面１５において窓部２０や操作キー部１７の周囲には、その機能等を示すための文字（図１にＸ印で図示）が書かれている。
【００２１】
カウンターケース１４の上面１５において表示部１６に対向する位置には、表示部１６を視認するための矩形の窓部２０が形成されている。この窓部２０には、湾曲した透明樹脂製のレンズカバー２１が嵌め込まれている。カウンターケース１４の上面１５は窓部２０を中心に凸状に湾曲している。このため、上面１５は、リール本体１の前後方向及びそれと交差する方向（左右方向）に沿ってそれぞれ凸状に湾曲している。また、レンズカバー２１は上面１５の湾曲形状に対応する形状であり、上面１５と滑らかに連続している。
【００２２】
カウンターケース１４の下部には、表示部１６や制御部１８用の電源としての内部電池２２を収納するための電池収納部２３が形成されている。この内部電池２２としては例えばボタン電池が使用される。電池収納部２３は、前カバー８に嵌め込まれる電池カバー２４により前面をカバーされている。この電池カバー２４に内部電池２２が略水平状態で保持され電池収納部２３に収納される。
【００２３】
表示部１６では、水深の表示、棚及び底設定値の表示及び表示モードの表示を含む複数の表示が可能である。ここで表示モードとは水深を水面からで表示する上からモードと底からで表示する底からモードとの２つのモードである。
操作キー部１７は、窓部２０の図１右方に上下に並べて配置された速度調整操作体ＳＫ及びモータオンオフボタンＰＷと、窓部２０の図１右方に上下に並べて配置されたさそいボタンＩＢ、棚メモボタンＴＢ及び底メモボタンＳＢとを有している。各ボタンは、上面１５の曲面に沿って傾斜した傾斜面を上面に有している。速度調整操作体ＳＫは、上下２つのスイッチからなるシーソー形のものであり、前方（図１上方）に舌状部を有している。速度調整操作体ＳＫの前方部を押すとスプール１０の巻き上げ速度が増加し、後方部を押す、もしくは前方の舌状部を引き上げると巻き上げ速度が減少する。そして速度調整操作体ＳＫの操作をやめると調整された速度を維持する。モータオンオフボタンＰＷは、それを押し続ける時間に応じてモータ１２を低速から高速に徐々に増速する。そして、ボタンＰＷを押すのをやめるとそのときの速度を維持する。さそいボタンＩＢは、仕掛けを棚近傍でさそい上げるさそいモードやその動作パターンを学習するさそい学習を行う際やそれらを解除するために使用されるボタンである。棚メモボタンＴＢは、棚位置を設定する際に使用され、底メモボタンＳＢは、底位置を設定する際に使用される。
【００２４】
ハンドル２の握り部２ａには、図１及び図３に示すように、表面にサブ操作キー部（スイッチ）６１があり、リール本体１側にサブ速度調整操作体ＳＫ２が、その外側にサブモータオンオフボタンＰＷ２が配置されている。これらのサブ速度調整操作体ＳＫ２及びサブモータオンオフボタンＰＷ２は、速度調整操作体ＳＫ及びモータオンオフボタンＰＷと同様の形状・動作のものであるが、速度調整操作体ＳＫ及びモータオンオフボタンＰＷに較べて大きさが少し小さい。また、握り部２ａの内部には、後述する第１無線送信部６２及び第１無線送信部６２に電力を供給するボタン電池６３が収容されている。ボタン電池６３は、握り部２ａに脱着可能な蓋６４を外すと取り替えることができる。なお、サブ操作キー部６１を有し、第１無線送信部６２及びボタン電池６３を内蔵するため、ハンドル２の握り部２ａは従来のものに較べて大きなものとなっている。
【００２５】
図１に示すように、電源ケーブル１１にはモータ１２用の電源としての蓄電池からなる外部電源２５が接続されている。電源ケーブル１１の途中にはモータ１２を駆動するためのモータ駆動部２６が配置されている。
〔制御系の構成〕
制御系は、図３に示すように、制御部１８とモータ駆動部２６とから構成されている。制御部１８はカウンターケース１４内に配置されたＣＰＵ，ＲＡＭ，ＲＯＭ，Ｉ／Ｏインターフェイス等を含むマイクロコンピュータを備えており、制御プログラムに沿って表示制御やモータ制御等の各種の制御動作を実行する。制御部１８には、図３に示すように、スプール１０の回転方向及び回転速度を検出するための１対のリードスイッチからなるスプール回転センサ３０と、内部電池２２とが接続されている。また、制御部１８には、警報用のアラーム３２と、表示部１６と、クラッチオンオフ用のソレノイド３３と、ハンドル２の握り部２ａ内の第１無線送信部６２からの信号を受信する第１無線受信部３５と、モータ駆動部２６の後述する第２無線受信部５２に信号を電波によって発信する第２無線送信部３６と、他の入出力部とが接続されている。
【００２６】
ハンドル２の握り部２ａ内の第１無線送信部６２は、サブ操作キー部６１の操作を信号に変えて、その信号を制御部１８の第１無線受信部３５に送信する。
モータ駆動部２６は、図４に示すように、電子回路部４３と、電源ケーブル１１の途中に配置され電子回路部４３を内部に収納する収納ケース４４とを有している。電子回路部４３は、モータ１２をＰＷＭ（パルス幅変調）駆動するための駆動素子としてのＦＥＴ４１ａ、マイクロコンピュータ４１ｂ、及び他の素子を含む複数の電気素子４１と、複数の電気素子４１を配置して接続するための回路基板４２とから構成されている。ＦＥＴ４１ａはアルミニウム製の冷却部材４５を介して収納ケース４４に取り付けられている。収納ケース４４の冷却部材４５取付部分には冷却用の開口４４ａが形成されている。
【００２７】
モータ駆動部２６の電子回路部４３は、図３に示すように、マイクロコンピュータ４１ｂからなる駆動制御部５０を備えている。駆動制御部５０には、ＦＥＴ４１ａを含むモータ駆動用のＰＷＭ駆動回路５１と、第２無線受信部５２と、昇圧回路５３とが接続されている。第２無線受信部５２は、制御部１８の第２無線送信部３６からの信号を受信するためのものである。昇圧回路５３は、外部電源２５からの電圧を昇圧する回路であって、モータ１２を高速回転させる場合に作動させるものである。
【００２８】
ここで、制御部１８の第２無線送信部３６からモータ駆動部２６の第２無線受信部５２に送信される信号は、モータオンオフボタンＰＷあるいはサブモータオンオフボタンＰＷ２の操作によるモータ１２のオンオフ信号、速度調整操作体ＳＫあるいは速度調整操作体ＳＫ２の操作による増減速信号、巻き上げ停止信号等の各種モータ停止信号等である。
【００２９】
〔電動リールの動作〕
次に、電動リールの動作について説明する。
釣り糸をスプール１０から繰り出すときには、釣り竿をたとえば左手で握って、クラッチ操作レバー１９を操作しスプール１０を自由回転状態にする。すると、仕掛けの自重によりスプール１０が糸繰り出し方向に回転し釣り糸がスプール１０から繰り出される。このとき、表示部１６の水深表示が糸繰り出し量に応じて徐々に増加する。
【００３０】
そして、仕掛けが棚位置に到達するとクラッチ操作レバー１９によりスプール１０をハンドル２及びモータ１２に連結する。すると、スプール１０の繰り出しが停止する。また、棚メモボタンＳＢを押して棚位置を設定する。この棚位置を設定すると以降の糸繰り出し時に棚位置でソレノイドによりクラッチが自動的にオンし釣り糸の繰り出しが停止する。この状態で仕掛けに魚がかかる（アタリがある）と、モータオンオフボタンＰＷあるいはサブモータオンオフボタンＰＷ２を押す。すると第２無線送信部３６から第２無線受信部５２にモータオン信号が送信されモータ１２が糸巻取方向に回転する。この結果、スプール１０が糸巻取方向に回転し釣り糸がスプール１０に巻き取られる。このとき、表示部１６の水深表示が糸巻取量に応じて徐々に減少する。このような電動巻き上げに加えてハンドル２を手動で回せば、いっそう巻き上げが早くなる。また、この途中で大物が仕掛けにかかり、モータ１２の温度が上昇すると、モータ１２の内部回路にあるポリマーＰＴＣの抵抗が大きくなり、電流制限がかかる。これにより、モータ１２の過負荷が防止され、モータ１２の負荷に応じて発熱するモータ駆動部２６内のＦＥＴ４１ａの損傷を防ぐことができる。また、仕掛けが予め設定された船縁位置まで上昇すると、第２無線送信部３６から第２無線受信部５２に船縁で仕掛けを停止するための船縁信号が送信されてモータ１２がオフする。
【００３１】
ここでは、ハンドル２のサブ操作キー部６１を操作することで、無線により制御部１８に指令を与え、モータ１２の制御を行うことができる。これにより、手動で巻き上げを行っているときなどハンドル２の握り部２ａを握っている状態においても、握り部２ａを握っているその手によって巻き上げ速度の変更やモータ１２のオン・オフの操作が可能である。
【００３２】
また、無線によってハンドル２の第１無線送信部６２からリール本体１内の制御部１８の第１無線受信部３５へと信号伝達しているため、両者の間を有線接続する必要がない。
また、第２無線送信部３６から第２無線受信部５２への送信も無線によって行われており、通信線を用いることなく簡単に制御部１８からモータ駆動部２６に制御信号を送信できる。このため、モータ駆動部２６とリール本体１との間のケーブルの本数が少なくなっている。
【００３３】
また、モータ駆動部２６を電源ケーブル１１の途中に設けたので、リール本体１にモータ駆動部を設ける必要がなくなり、リール本体１が小型化している。
また、モータ駆動部２６がリール本体１の外部に配置されており、モータ駆動部２６の冷却が容易である。
また、昇圧回路５３をリール本体１ではなくモータ駆動部２６に配しているため、リール本体１が小型化している。
【００３４】
また、表示部１６及び制御部１８等に対しては内部電池２２から電力が供給されるので、電源ケーブル１１を外しても手巻の表示器付リールとして使用できる。
また、従来では、バイメタル式のブレーカやＦＥＴ等の発熱素子の温度を管理して電流制限を行い回路及びモータを保護しているが、本実施形態では、ポリマーＰＴＣの特性を利用して同様の保護を行っている。これにより、別個にモータ保護回路を設ける必要がなくなっており、省スペース化及び低コスト化が図られている。なお、ここではポリマーＰＴＣ１２ａをモータ１２に内蔵させているが、必ずしも内蔵させる必要はない。
【００３５】
〔他の実施形態〕
（ａ）    上記実施形態では、無線によってリール本体１の制御部１８からモータ駆動部２６へと信号を送信したが、図５に示すように、たとえばシリアル通信等の有線により信号を送信してもよい。この図５に示す実施形態では、制御部１８にはシリアル送信部３６ａが接続され、駆動制御部５０にはシリアル受信部５２ａが接続されている。また、リール本体１内には、表示部１６や制御部１８に電力を供給する内部電池が設けられていない。このため、電源ケーブル１１は、表示部１６及び制御部１８に電力を供給するための電力供給ケーブル１１ａと、モータ１２を駆動するための駆動ケーブル１１ｂと、シリアル通信用の通信ケーブル１１ｃとから構成されている。ここでは、電源ケーブル１１は多くなるが、無線送受信部が不要であるので、モータ駆動部２６や制御部１８の構成を簡素化することができる。
【００３６】
（ｂ）    上記実施形態では、表示部１６及び制御部１８等には内部電池２２からのみ電力が供給されているが、図６に示すように、外部電源２５からも電力を供給してもよい。この場合、内部電池２２と制御部１８との間に切換スイッチ２２ａを設け、これを電源ケーブル１１接続時にオフするようにしてもよい。また、内部電池２２を充電機能付きのものとし、電源ケーブル１１接続時に内部電池２２を充電するようにしてもよい。そして、電源ケーブル１１離脱時にのみ内部電源２２から制御部１８に電力を供給するようにすれば、内部電源２２の電力消費を抑えることができる。これにより、電源ケーブル１１をリール本体１から離脱した後の表示部１６の表示制御等を長時間持続させることができる。なお、この場合、電源ケーブル１１は、電力供給ケーブル１１ａと駆動ケーブル１１ｂとにより構成される。
【００３７】
（ｃ）    上記実施形態では、ハンドル２の握り部２ａに２つのスイッチ（サブ速度調整操作体ＳＫ２及びサブモータオンオフボタンＰＷ２）を設けているが、この他に上記さそいボタンＩＢと同様のコマセタイマのスイッチを握り部２ａに設けても良い。この場合、コマセタイマのスイッチを握り部２ａから操作すれば、制御部１８によりシャクリ制御が為され、モータ１２を断続的に作動させる。
【００３８】
【発明の効果】
本発明によれば、ハンドル部のスイッチを操作することでモータの制御を行うことができため、手動で巻き上げを行っているときなどハンドル部を握っている状態においても、ハンドル部を握っているその手によってモータ制御の操作が可能であり、電動リールが釣り人にとって操作性に優れたものとなる。
【図面の簡単な説明】
【図１】本発明の一実施形態を採用した電動リールの平面図。
【図２】その側面一部断面図。
【図３】その制御系の構成を示すブロック図。
【図４】モータ駆動部の断面図。
【図５】他の実施形態の図３に相当する図。
【図６】他の実施形態の図３に相当する図。
【符号の説明】
１        リール本体
２        ハンドル（ハンドル部）
１０    スプール
１１    電源ケーブル
１２    モータ
１６    表示部
１８    制御部
２５    外部電源
２６    モータ駆動部
３５    第１無線受信部
３６    第２無線送信部（第２送信部）
３６ａ    シリアル送信部（第２送信部）
５２    第２無線受信部（第２受信部）
５２ａ    シリアル受信部（第２受信部）
５３    昇圧回路
６１    サブ操作キー部
６２    第１無線送信部
ＰＷ２    サブモータオンオフボタン（オン・オフスイッチ）
ＳＫ２    サブ速度調整操作体（加減速スイッチ）
【図１】
0003623644.tif 000002
【図２】
0003623644.tif 000003
【図３】
0003623644.tif 000004
【図４】
0003623644.tif 000005
【図５】
0003623644.tif 000006
【図６】
0003623644.tif 000007